(57)【要約】【課題】  携帯性に優れ且つ血圧及び体脂肪を同時に測定できる携帯型健康管理装置を提供する。【解決手段】  ２つ折り型の携帯電話機１６を閉じた状態においてその長手方向の両端にセンシングユニット１１，１２をそれぞれ配設する。各センシングユニット１１，１２は、被検者の手から脈波を測定するための脈波センシング部と、身体のインピーダンスを測定するためのインピーダンスセンシング部とを備えている。被検者の左手を一方のセンシングユニット１１に、右手を他方のセンシングユニット１２にそれぞれ接触させて血圧及び体脂肪を同時に測定する。【選択図】      図３
2006026210.tif 000002
【特許請求の範囲】
【請求項１】
発光素子及び受光素子により構成される複数の脈波センシング部と、
身体のインピーダンスを測定するための複数のインピーダンスセンシング部と、
上記複数の脈波センシング部からの脈波信号を受け、２箇所以上で検出される脈波の時間差から血圧値を求める血圧測定手段と、
上記各インピーダンスセンシング部間のインピーダンス値及び予め入力された身体データから体脂肪率を演算する体脂肪率演算手段とが携帯可能なケーシング内に収容されて構成されていることを特徴とする携帯型健康管理装置。
【請求項２】
上記請求項１記載の携帯型健康管理装置において、
発光素子の発光波長及び受光素子の感度波長が７８０〜１０００ｎｍである近赤外線領域を使用する構成となっていることを特徴とする携帯型健康管理装置。
【請求項３】
上記請求項１記載の携帯型健康管理装置において、
発光素子の発光波長及び受光素子の感度波長として３６０〜６６０ｎｍを使用する構成となっていることを特徴とする携帯型健康管理装置。
【請求項４】
上記請求項１、２または３記載の携帯型健康管理装置において、
一つの脈波センシング部と一つのインピーダンスセンシング部とは身体の同一箇所をセンシングするように一体化されて構成されていることを特徴とする携帯型健康管理装置。
【請求項５】
上記請求項１〜４のうち何れか一つに記載の携帯型健康管理装置において、
２つ折り型の携帯電話機に一体的に組み込まれており、この携帯電話機が折り畳まれた状態で血圧値及び体脂肪率を測定する構成となっていることを特徴とする携帯型健康管理装置。
【請求項６】
上記請求項１〜４のうち何れか一つに記載の携帯型健康管理装置において、
２つ折り型の携帯電話機に一体的に組み込まれており、この携帯電話機が展開された状態で血圧値及び体脂肪率を測定する構成となっていることを特徴とする携帯型健康管理装置。
【請求項７】
上記請求項１〜４のうち何れか一つに記載の携帯型健康管理装置において、
非折り畳み型の携帯電話機に一体的に組み込まれて、血圧値及び体脂肪率を測定する構成となっていることを特徴とする携帯型健康管理装置。
【請求項８】
上記請求項１〜７のうち何れか一つに記載の携帯型健康管理装置において、
血圧値及び体脂肪率の測定結果を表示する表示部を備えていることを特徴とする携帯型健康管理装置。
【請求項９】
上記請求項１〜８のうち何れか一つに記載の携帯型健康管理装置において、
発光素子及び受光素子の一対をＩｒＤＡの受光素子や発光素子と併用した構成となっていることを特徴とする携帯型健康管理装置。
【請求項１０】
上記請求項９記載の携帯型健康管理装置において、
２つ折り型の携帯電話機に一体的に組み込まれており、この携帯電話機が折り畳まれた状態で血圧値及び体脂肪率を測定する構成となっていることを特徴とする携帯型健康管理装置。
【請求項１１】
上記請求項９記載の携帯型健康管理装置において、
２つ折り型の携帯電話機に一体的に組み込まれており、この携帯電話機が展開された状態で血圧値及び体脂肪率を測定する構成となっていることを特徴とする携帯型健康管理装置。
【請求項１２】
上記請求項９記載の携帯型健康管理装置において、
非折り畳み型の携帯電話機に一体的に組み込まれて、血圧値及び体脂肪率を測定する構成となっていることを特徴とする携帯型健康管理装置。
【請求項１３】
上記請求項１〜１２のうち何れか一つに記載の携帯型健康管理装置において、
インピーダンスセンシング部の電極が指紋判別用のセンサの電極と兼用された構成となっていることを特徴とする携帯型健康管理装置。
【請求項１４】
上記請求項１〜１３のうち何れか一つに記載の携帯型健康管理装置において、
測定結果である血圧値及び体脂肪率の情報をＩｒＤＡによって外部装置に送信したり、または外部装置から被検者の身体データを取得可能な構成とされていることを特徴とする携帯型健康管理装置。
【請求項１５】
上記請求項１〜１４のうち何れか一つに記載の携帯型健康管理装置において、
血糖値センサを搭載していることを特徴とする携帯型健康管理装置。
【請求項１６】
上記請求項１５記載の携帯型健康管理装置において、
血糖値センサは化学式検出方法によって血糖値を測定する構成となっていることを特徴とする携帯型健康管理装置。
【請求項１７】
上記請求項１５記載の携帯型健康管理装置において、
血糖値センサは光学式検出方法によって血糖値を測定する構成となっていることを特徴とする携帯型健康管理装置。
【請求項１８】
上記請求項１〜１７のうち何れか一つに記載の携帯型健康管理装置において、
測定した生体情報をインターネット等の通信機能を使い、医療機関等に送信し、医師の診断を行った後、インターネット等の通信機能を使ってその診断結果を受信する構成となっていることを特徴とする携帯型健康管理装置。
【請求項１９】
上記請求項１〜１８のうち何れか一つに記載の携帯型健康管理装置において、
測定した生体情報をもとにアプリケーションソフトウェア実行機能によりアプリケーションソフトウェアを実行する構成となっていることを特徴とする携帯型健康管理装置。
【請求項２０】
上記請求項１〜１９のうち何れか一つに記載の携帯型健康管理装置において、
血圧、体脂肪の測定時刻を報知するアラーム機能を備えていることを特徴とする携帯型健康管理装置。
【請求項２１】
上記請求項１〜４、８、９、１３〜２０のうち何れか一つに記載の携帯型健康管理装置において、
パーソナルコンピュータにおいて、生体情報を測定する構成となっていることを特徴とする携帯型健康管理装置。
【請求項２２】
上記請求項１〜４、８、９、１３〜２０のうち何れか一つに記載の携帯型健康管理装置において、
パーソナルコンピュータで使用するマウスにおいて、生体情報を測定する構成となっていることを特徴とする携帯型健康管理装置。
【発明の詳細な説明】
【技術分野】
【０００１】
本発明は、血圧計としての機能と体脂肪計としての機能とを搭載した携帯型健康管理装置に係る。特に、本発明は、血圧及び体脂肪の測定時における使い勝手の向上を図るための対策に関する。
【背景技術】
【０００２】
成人病を予防する上で日々の健康管理（高血圧や肥満の予防）が重要であることが知られている。そのために、定期的に血圧や体脂肪率の測定が行われており、近年では、一般家庭向けの電動式血圧計や体脂肪計が普及してきている。
【０００３】
これまでの一般的な血圧計は、腕帯（カフ）を備えており、このカフを被検者の上腕または手首に巻いた状態で、このカフに空気を加圧充填して血圧測定を行っている（例えば下記の特許文献１参照）。
【０００４】
しかし、これまでの血圧計では、カフを巻く煩わしさや、カフに空気を加圧充填した際の圧迫による違和感や、人目が気になる等といった課題があった。
【０００５】
この課題を解決するものとして、身体の２箇所以上の部位の脈波を測定し、第１の脈波を基準として、第２の脈波までの時間差を求め、その値から血圧値が算出できる技術が下記の特許文献２に開示されている。
【０００６】
一方、成人病予防の指標として近年注目されている体脂肪率を測定する体脂肪計（例えば下記の特許文献３参照）は、被検者が外部から接触できる複数の電極を備え、これら電極への被検者の接触によって身体のインピーダンスが測定できるようになっている。また、この測定されたインピーダンスから体脂肪率を演算するための演算式が記憶されている。そして、体脂肪測定時には、被検者がその個人の身体データとして、身長、体重、性別、年齢等を入力し、その後、上記インピーダンスの測定動作を行い、これら身体データ及び身体のインピーダンスに基づく演算処理によって体脂肪率が求められるようになっている。
【特許文献１】特開２００２−５１９９３号公報
【特許文献２】特開２０００−１０７１４１号公報
【特許文献３】特開２００２−１５９４６１号公報
【発明の開示】
【発明が解決しようとする課題】
【０００７】
しかしながら、これまで、血圧計及び体脂肪計はそれぞれ個別の装置として構成されていた。このため、血圧測定と体脂肪測定とは、別々の装置によって個別に行う必要があり、測定作業が煩雑であるばかりでなく、測定に要する時間を長く要してしまう。また、旅行先などで血圧と体脂肪とを測定したい場合には、血圧計及び体脂肪計の両方を持って行く必要があり極めて煩雑であった。
【０００８】
本発明は、かかる点に鑑みてなされたものであり、その目的とするところは、携帯性に優れ且つ血圧及び体脂肪を同時に測定できる携帯型健康管理装置を提供することにある。
【課題を解決するための手段】
【０００９】
−発明の概要−
上記の目的を達成するために講じられた本発明の解決手段は、携帯電話機等のように常時携帯する可能性の高い情報端末機器に血圧計としての機能と体脂肪計としての機能を搭載している。これにより、血圧や体脂肪率を測定しているようには見えない様に、恰も携帯電話機等の情報端末機器を操作しているがごとく、人目を気にせず、いつでもどこでも血圧測定及び体脂肪測定が行える。
【００１０】
−解決手段−
具体的に、本発明は、発光素子及び受光素子により構成される複数の脈波センシング部と、身体のインピーダンスを測定するための複数のインピーダンスセンシング部と、上記複数の脈波センシング部からの脈波信号を受け、２箇所以上で検出される脈波の時間差から血圧値を求める血圧測定手段と、上記各インピーダンスセンシング部間のインピーダンス値及び予め入力された身体データから体脂肪率を演算する体脂肪率演算手段とを携帯可能なケーシング内に収容した構成としている。
【００１１】
この特定事項によれば、一つの脈波センシング部の受光素子によって得られた脈波信号と、他の一つの脈波センシング部の受光素子によって得られた脈波信号とを血圧測定手段が受信し、これら脈波の時間差から血圧値が求められる。一方、各インピーダンスセンシング部間のインピーダンス値及び被検者の体重、身長、年齢、性別等といったデータに基づいて体脂肪率演算手段が体脂肪率を演算する。このようにして、小型の（携帯可能な）健康管理装置によって血圧及び体脂肪を同時に測定することができる。
【００１２】
本解決手段において、発光素子の発光波長及び受光素子の感度波長として７８０〜１０００ｎｍである近赤外線領域を使用したり、３６０〜６６０ｎｍを使用することが掲げられる。
【００１３】
また、上記一つの脈波センシング部と一つのインピーダンスセンシング部とは身体の同一箇所をセンシングするように一体化されている。
【００１４】
このような構成の携帯型健康管理装置の具体的な適用形態の一つとしては、２つ折り型の携帯電話機に一体的に組み込まれ、この携帯電話機が折り畳まれた状態で血圧値及び体脂肪率を測定する構成である。また、他の適用形態としては、２つ折り型の携帯電話機に一体的に組み込まれ、この携帯電話機が展開された状態で血圧値及び体脂肪率を測定する構成である。更に、非折り畳み型の携帯電話機に一体的に組み込まれて、血圧値及び体脂肪率を測定する構成としてもよい。
【００１５】
これによれば、血圧や体脂肪率を測定しているようには見えない様に、恰も携帯電話機を操作しているがごとく、人目を気にせず、いつでもどこでも血圧測定及び体脂肪測定を行うことができる。
【００１６】
また、血圧値及び体脂肪率の測定結果を表示する表示部を備えさせれば、被検者は測定結果を容易且つ迅速に確認することができ携帯型健康管理装置の使い勝手をよりいっそう高めることができる。
【００１７】
また、発光素子及び受光素子の一対をＩｒＤＡの発光素子及び受光素子と併用させることにより、従来の通信機能としての構成をそのまま使用して血圧測定機能を搭載することが可能になる。
【００１８】
この場合も、２つ折り型の携帯電話機に一体的に組み込まれ、この携帯電話機が折り畳まれた状態で血圧値及び体脂肪率を測定する構成とすることができる。また、２つ折り型の携帯電話機に一体的に組み込まれ、この携帯電話機が展開された状態で血圧値及び体脂肪率を測定する構成としてもよい。更に、非折り畳み型の携帯電話機に一体的に組み込まれて、血圧値及び体脂肪率を測定する構成としてもよい。
【００１９】
これら構成によっても、血圧や体脂肪率を測定しているようには見えない様に、恰も携帯電話機を操作しているがごとく、人目を気にせず、いつでもどこでも血圧及び体脂肪率を測定できる。
【００２０】
また、インピーダンスセンシング部の電極を指紋判別用のセンサの電極と兼用させることにより、従来の指紋判別機能としての構成をそのまま使用して体脂肪測定機能を搭載することが可能になる。
【００２１】
また、上述した各解決手段に係る携帯型健康管理装置を外部機器と通信可能とする構成として、測定結果である血圧値及び体脂肪率の情報をＩｒＤＡによって外部装置に送信したり、または外部装置から被検者の身体データを取得可能な構成とするものである。
【００２２】
更に、上記携帯型健康管理装置には血糖値センサを搭載してもよい。この場合の血糖値センサとしては、化学式検出方法によって血糖値を測定するものや、光学式検出方法によって血糖値を測定するものが掲げられる。
【００２３】
また、測定した生体情報をインターネット等の通信機能を使い、医療機関等に送信し、医師の診断を行った後、インターネット等の通信機能を使ってその診断結果を受信する構成とすることも可能である。
【００２４】
加えて、測定した生体情報をもとにアプリケーションソフトウェア実行機能によりアプリケーションソフトウェアを実行する構成としてもよい。
【００２５】
また、血圧、体脂肪の測定時刻を報知するアラーム機能を備えさせれば、定期的に血圧、体脂肪の測定を行うことができる。
【００２６】
携帯型健康管理装置を組み込む機器として携帯電話機以外に以下のものが掲げられる。先ず、パーソナルコンピュータに組み込んで、生体情報を測定する構成とするものである。また、パーソナルコンピュータで使用するマウスに組み込んで、生体情報を測定する構成とするものである。
【発明の効果】
【００２７】
本発明では、常に携帯する情報端末機器に生体情報測定機能を設けることにより、いつでもどこでも測定できる。また、センシング部を一体化することにより、小さなスペースに実装することが出来るため、生体情報を測定する姿勢が、あたかも通常の携帯電話機を操作するような姿にできるため、人目を気にせず測定ができる。さらに、記憶機能を搭載されれば、日々の測定結果を記憶し生体情報の変化を確認することができる。また、通信機能を搭載することにより、外部装置に測定結果を送信し、測定結果を集計・統計を行い、医療機関に測定結果を送信し、医師の診断、診察の予約等を行うこともできる。加えて、アラーム機能を搭載することにより、毎日決められた時間に忘れることなく測定でき、また、アプリケーションソフト実行機能を搭載することにより、生体情報の変化を利用したアプリケーションを行うことができ、いつでもどこでも、自己の健康管理を行うことが可能になる。
【発明を実施するための最良の形態】
【００２８】
以下、本発明の実施の形態を図面に基づいて説明する。本発明は、携帯情報端末機器としての携帯電話機やノート型のパーソナルコンピュータやパーソナルコンピュータに接続したマウスを利用して携帯型健康管理装置を構成した場合について説明する。
【００２９】
−携帯型健康管理装置の基本システム構成−
携帯型健康管理装置の具体構成（携帯電話機等に一体的に組み込んだ構成）を説明する前に、血圧測定及び体脂肪測定を行うための基本システム構成について図１の測定ブロック図を用いて説明する。
【００３０】
この図１に示すように、本携帯型健康管理装置は、左手から脈波を測定するための第１脈波センシング部２、右手から脈波を測定するための第２脈波センシング部３を備えている。
【００３１】
上記第１脈波センシング部２は、第１発光素子２Ａ及び第１受光素子２Ｂを備えている一方、上記第２脈波センシング部３は、第２発光素子３Ａ及び第２受光素子３Ｂを備えている。また、上記第１受光素子２Ｂ及び第２受光素子３Ｂそれぞれで得られた脈波信号を受信する血圧値計測部７が備えられている。
【００３２】
この構成により、上記第１受光素子２Ｂによって得られた左手の脈波信号と、第２受光素子３Ｂによって得られた右手の脈波信号とが血圧値計測部７に送信され、この血圧値計測部７において血圧値が測定される。つまり、２つの部位による脈波（脈拍）の時間差によって求められる脈波伝播時間を求めることによって、この脈波伝播時間に相関関係のある血圧値を知ることができる。尚、血管の脈拍をセンシングするためには、血管中の血液の動きを検知する必要があり、例えば、血液中に含まれている赤血球中の酸化ヘモグロビンの吸収光スペクトル特性を利用し、ある特定の波長の光を照射すると酸化ヘモグロビンの吸収によって反射光量が減少する、という特性を利用してセンシングを行うようにしている。
【００３３】
また、本携帯型健康管理装置は、第１インピーダンスセンシング部４及び第２インピーダンスセンシング部５を備えている。第１インピーダンスセンシング部４は、左手が接触するものであって、電流印加用電極４Ａと電圧検知用電極４Ｂとを備えている。一方、第２インピーダンスセンシング部５は、右手が接触するものであって、上記第１インピーダンスセンシング部４と同様に、電流印加用電極５Ａと電圧検知用電極５Ｂとを備えている。更に、被検者の体重、身長、年齢、性別等のデータを入力可能な数値入力部９が備えられている。
【００３４】
この構成により、各インピーダンスセンシング部４，５によって測定された身体のインピーダンス値と、数値入力部９から入力された、被検者の体重、身長、年齢、性別等のデータとが体脂肪率計測部６に送信され、この体脂肪率計測部６において体脂肪率が算出される構成となっている。
【００３５】
このようにして求められた血圧値及び体脂肪率の情報は表示部８に送信され、この表示部８において被検者に視認可能に表示されるようになっている。
【００３６】
ここで、上記第１及び第２の脈波センシング部２，３の第１及び第２の発光素子２Ａ，３Ａの発光波長として近赤外領域である７８０〜１０００ｎｍを使い、第１と第２の受光素子２Ｂ，３Ｂの感度波長として同じく近赤外領域である７８０〜１０００ｎｍを使っている。
【００３７】
また、これに代えて、上記第１及び第２の脈波センシング部２，３の第１及び第２の発光素子２Ａ、３Ａの発光波長として３６０〜６６０ｎｍを使い、第１と第２の受光素子２Ｂ，３Ｂの感度波長として３６０〜６６０ｎｍを使ってもよい。これは、血液中の酸化ヘモグロビンの吸収光特性上、３６０〜６６０ｎｍの波長成分光の吸収が高いという特性を利用するものである。
【００３８】
−センシング部の構成説明−
次に、上記各脈波センシング部２，３及び各インピーダンスセンシング部４，５の具体構成について説明する。左手用の第１脈波センシング部２及び第１インピーダンスセンシング部４は一体化されて第１センシングユニット１１として構成されており、同様に、右手用の第２脈波センシング部３及び第２インピーダンスセンシング部５は一体化されて第２センシングユニット１２として構成されている。各センシングユニット１１，１２は共に同一構成である。このため、ここでは一方（左手用）の第１センシングユニット１１を代表して説明する。
【００３９】
図２は、第１センシングユニット１１を示しており、図２（ａ）は正面図、図２（ｂ）は側面図である。これら図に示すように、上記第１脈波センシング部２と第１インピーダンスセンシング部４とが一体化されて第１センシングユニット１１が構成されており、人体の一部（手の指等）の同一箇所で脈波センシングとインピーダンスセンシングとが可能な構成となっている。詳しくは、第１センシングユニット１１は正面視が略楕円形状を成し、その中央部に形成された凹部内に第１発光素子２Ａ及び第１受光素子２Ｂが収容されている。また、電流印加用電極４Ａ及び電圧検知用電極４Ｂはそれぞれ第１センシングユニット１１の表面に設けられている。尚、第２センシングユニット１２も同様の構成となっている。
【００４０】
−携帯電話機への組み込み状態−
次に、上述した基本システム構成を備えた携帯型健康管理装置が携帯電話機へ組み込まれた場合の構成及び測定動作について説明する。
【００４１】
（第１実施形態）
図３は、携帯型健康管理装置が２つ折り型の携帯電話機１６に一体的に組み込まれた場合の測定動作を示している。
【００４２】
この図３に示すように、携帯電話機１６を閉じた状態においてその長手方向の両端にセンシングユニット１１，１２がそれぞれ配設されている。そして、血圧及び体脂肪率を測定する場合には、携帯電話機１６を閉じた状態で、第１センシングユニット１１に左手２０の親指を接触させ、且つ第２センシングユニット１２に右手２１の親指を接触させる。これにより、第１センシングユニット１１の第１受光素子２Ｂによって得られた左手指の脈波信号と、第２センシングユニット１２の第２受光素子３Ｂによって得られた右手指の脈波信号とが血圧値計測部７に送信されて血圧値が測定される。また、第１センシングユニット１１の第１インピーダンスセンシング部４と第２センシングユニット１２の第２インピーダンスセンシング部５との間で測定された身体のインピーダンス値と、数値入力部９から入力された、被検者の体重、身長、年齢、性別等のデータとが体脂肪率計測部６に送信され、この体脂肪率計測部６において体脂肪率が算出される。このようにして求められた血圧値と体脂肪率が携帯電話機の表示画面（２つ折り型の携帯電話機１６の場合にはサブ画面）８１に表示される。
【００４３】
（第２実施形態）
本形態は、携帯型健康管理装置を２つ折り型の携帯電話機１６に一体的に組み込んだ場合であって、携帯電話機１６を展開した（開いた）状態で血圧値と体脂肪率とを測定するようにしたものである。本形態における血圧測定及び体脂肪測定を行うための基本システム構成及び各センシングユニット１１，１２の構成は上述したものと同一であるのでここでの説明は省略する。
【００４４】
図４は、本形態に係る携帯電話機１６を展開した状態の正面側を示しており、第１センシングユニット１１が、人が携帯電話機を両手で持ったときに自然に左手親指が来る位置に配置され、第２センシングユニット１２が、人が携帯電話機を両手で持ったときに自然に右手親指が来る位置に配置されている。
【００４５】
このため、血圧と体脂肪率を測定する場合には、携帯電話機１６を展開した状態で、第１センシングユニット１１に左手の親指を接触させ、且つ第２センシングユニット１２に右手の親指を接触させる。これにより、第１センシングユニット１１の第１受光素子２Ｂによって得られた左手指の脈波信号と、第２センシングユニット１２の第２受光素子３Ｂによって得られた右手指の脈波信号とが血圧値計測部７に送信されて血圧値が測定される。また、第１センシングユニット１１の第１インピーダンスセンシング部４と第２センシングユニット１２の第２インピーダンスセンシング部５との間で測定された身体のインピーダンス値と、数値入力部９から入力された被検者の体重、身長、年齢、性別等のデータとが体脂肪率計測部６に送信され、この体脂肪率計測部６において体脂肪率が算出される。このようにして求められた血圧値と体脂肪率が携帯電話機の表示画面（メイン画面）８に表示される。
【００４６】
（第３実施形態）
本形態は、携帯型健康管理装置を２つ折り型の携帯電話機１６に一体的に組み込んだ場合であって、携帯電話機１６を展開した（開いた）状態で血圧値と体脂肪率とを測定するようにした場合の変形例である。本形態においても血圧測定及び体脂肪測定を行うための基本システム構成及び各センシングユニット１１，１２の構成は上述したものと同一であるのでここでの説明は省略する。
【００４７】
図５は、本形態に係る携帯電話機１６を展開した状態の背面側を示しており、第１センシングユニット１１が、人が携帯電話機を両手で持ったとき（携帯電話機１６の正面に対面するようにして持ったとき）に自然に左手人差指が来る位置に配置され、第２センシングユニット１２が、人が携帯電話機を両手で持ったときに自然に右手人差指が来る位置に配置されている。
【００４８】
このため、血圧と体脂肪率を測定する場合には、携帯電話機１６を展開した状態で、第１センシングユニット１１に左手の人差指を接触させ、且つ第２センシングユニット１２に右手の人差指を接触させる。これにより、第１センシングユニット１１の第１受光素子２Ｂによって得られた左手指の脈波信号と、第２センシングユニット１２の第２受光素子３Ｂによって得られた右手指の脈波信号とが血圧値計測部７に送信されて血圧値が測定される。また、第１センシングユニット１１の第１インピーダンスセンシング部４と第２センシングユニット１２の第２インピーダンスセンシング部５との間で測定された身体のインピーダンス値と、数値入力部９から入力された被検者の体重、身長、年齢、性別等のデータとが体脂肪率計測部６に送信され、この体脂肪率計測部６において体脂肪率が算出される。このようにして求められた血圧値と体脂肪率が携帯電話機の表示画面８に表示される。この表示画面８としては、携帯電話機の表側の表示パネルであってもよいし、背面側の表示パネル８１（所謂サブ画面）であってもよい。
【００４９】
（第４実施形態）
本形態は、携帯型健康管理装置を非折り畳み型（所謂ストレートタイプ）の携帯電話機に一体的に組み込んだ場合の実施形態である。本形態においても血圧測定及び体脂肪測定を行うための基本システム構成及び各センシングユニット１１，１２の構成は上述したものと同一であるのでここでの説明は省略する。
【００５０】
図６は、本形態に係る携帯電話機２６の正面側を示しており、第１センシングユニット１１が、人が携帯電話機を両手で持ったときに自然に左手親指が来る可能性のある位置に配置されている。具体的には、携帯電話機２６の長手方向（図６の上下方向）中央部の左側縁近傍位置または長手方向上端部の左側縁近傍位置に第１センシングユニット１１が配置されている。
【００５１】
一方、第２センシングユニット１２は、人が携帯電話機を両手で持ったときに自然に右手親指が来る可能性のある位置に配置されている。具体的には、携帯電話機２６の長手方向（図６の上下方向）中央部の右側縁近傍位置または長手方向上端部の右側縁近傍位置或いは長手方向上端部の左右方向中央位置に第２センシングユニット１２が配置されている。
【００５２】
このため、血圧と体脂肪率を測定する場合には、第１センシングユニット１１に左手の親指を接触させ、且つ第２センシングユニット１２に右手の親指を接触させる。これにより、上述した各実施形態の場合と同様に、血圧値及び体脂肪率が測定され、その結果が携帯電話機２６の表示画面８に表示される。
【００５３】
尚、本形態の場合、第１センシングユニット１１及び第２センシングユニット１２の配設箇所はそれぞれ一箇所ずつに限らず、複数箇所（上述した各箇所）であってもよい。
【００５４】
（第５実施形態）
本形態は、携帯型健康管理装置を非折り畳み型（所謂ストレートタイプ）の携帯電話機２６に一体的に組み込んだ場合の変形例である。本形態においても血圧測定及び体脂肪測定を行うための基本システム構成及び各センシングユニット１１，１２の構成は上述したものと同一であるのでここでの説明は省略する。
【００５５】
図７は、本形態に係る携帯電話機２６の背面を示しており、第１センシングユニット１１が、人が携帯電話機を両手で持ったときに自然に左手人差指が来る可能性のある位置に配置されている。具体的には、背面における長手方向（図７の上下方向）中央部の右側縁近傍位置または長手方向上端部の右側縁近傍位置或いは長手方向上端部の左右方向中央位置に第１センシングユニット１１が配置されている。
【００５６】
一方、第２センシングユニット１２は、人が携帯電話機を両手で持ったときに自然に右手人差指が来る可能性のある位置に配置されている。具体的には、背面における長手方向（図７の上下方向）中央部の左側縁近傍位置または長手方向上端部の左側縁近傍位置に第２センシングユニット１２が配置されている。
【００５７】
このため、血圧と体脂肪率を測定する場合には、第１センシングユニット１１に左手の人差指を接触させ、且つ第２センシングユニット１２に右手の人差指を接触させる。これにより、上述した各実施形態の場合と同様に、血圧値及び体脂肪率が測定され、その結果が携帯電話機２６の表示画面８に表示される。
【００５８】
尚、本形態においても、第１センシングユニット１１及び第２センシングユニット１２の配設箇所はそれぞれ一箇所ずつに限らず、複数箇所（上述した各箇所）であってもよい。
【００５９】
（第６実施形態）
本形態は、携帯電話機に搭載されている赤外線通信素子であるＩｒＤＡ（Ｉｎｆｒａｒｅｄ  Ｄａｔａ  Ａｓｓｏｃｉａｔｉｏｎ）の発光素子をセンシング部の発光素子としての使用するものである。つまり、ＩｒＤＡの発光素子に通信用及び脈波検出用の両機能を兼用させたものである。この場合、発光素子の発光波長と受光素子の感度波長は９４０ｎｍであり、脈波を測定できる発光波長と感度波長を有している。更に、このＩｒＤＡの発光素子は、インピーダンスセンシング部と一体化して、これをセンシングユニットとすることも可能である。
【００６０】
尚、ＩｒＤＡの発光素子を１箇所しか備えない携帯電話機にあっては、何れか一方の脈波センシング部の発光素子としてＩｒＤＡを利用し、ＩｒＤＡの発光素子を２箇所に備える携帯電話機にあっては、両方の脈波センシング部２，３の発光素子２Ａ，３ＡとしてＩｒＤＡを利用することになる。
【００６１】
図８は、ＩｒＤＡの発光素子を内蔵した２つ折り型の携帯電話機１６に対して、ＩｒＤＡの発光素子とインピーダンスセンシング部と一体化した第１センシングユニット１１を配設したものにおける測定動作を示している。
【００６２】
この図８に示すように、携帯電話機１６を閉じた状態においてその長手方向の両端にセンシングユニット１１，１２がそれぞれ配設されている。そして、血圧及び体脂肪率を測定する場合には、携帯電話機１６を閉じた状態で、第１センシングユニット１１に左手２０の親指を接触させ、且つ第２センシングユニット１２に右手２１の親指を接触させる。これにより、上述した各実施形態の場合と同様に、血圧値及び体脂肪率が測定される。このようにして求められた血圧値と体脂肪率が携帯電話機の表示画面（２つ折り型の携帯電話機１６の場合にはサブ画面）８１に表示される。
【００６３】
（第７実施形態）
本形態は、ＩｒＤＡの発光素子を脈波センシング部の発光素子として利用し且つインピーダンスセンシング部と一体化したセンシングユニットを備えた携帯型健康管理装置を２つ折り型の携帯電話機１６に一体的に組み込んだ場合であって、携帯電話機１６を展開した（開いた）状態で血圧値と体脂肪率とを測定するようにしたものである。
【００６４】
図９は、本形態に係る携帯電話機１６を展開した状態を示しており、ＩｒＤＡの発光素子とインピーダンスセンシング部とが一体化されて成る第１センシングユニット１１が、人が携帯電話機を持ったときに自然に右手または左手の親指または人差指が来る位置に配置され、第２センシングユニット１２が、人が携帯電話機を持ったときに自然に残りの手の親指か人差指が来る位置（図９に示す２箇所のうちの何れか）に配置されている。
【００６５】
このため、血圧と体脂肪率を測定する場合には、携帯電話機１６を展開した状態で、第１センシングユニット１１に右手または左手を接触させ、且つ第２センシングユニット１２に他方の手を接触させる。これにより、上述した各実施形態の場合と同様に、血圧値及び体脂肪率が測定され、その結果が携帯電話機の表示画面８に表示される。尚、第２センシングユニット１２は図９に示す２箇所の両方に配設してもよい。
【００６６】
（第８実施形態）
本形態は、ＩｒＤＡの発光素子を脈波センシング部の発光素子として利用し且つインピーダンスセンシング部と一体化したセンシングユニットを備えた携帯型健康管理装置を非折り畳み型（所謂ストレートタイプ）の携帯電話機２６に一体的に組み込んだ場合の実施形態である。
【００６７】
図１０は、本形態に係る携帯電話機２６を示しており、ＩｒＤＡの発光素子とインピーダンスセンシング部とが一体化されて成る第１センシングユニット１１が、人が携帯電話機を持ったときに自然に右手または左手の親指または人差指が来る位置に配置され、第２センシングユニット１２が、人が携帯電話機を持ったときに自然に残りの手の親指か人差指が来る位置（図９に示す２箇所のうちの何れか）に配置されている。
【００６８】
このため、血圧と体脂肪率を測定する場合には、第１センシングユニット１１に右手または左手を接触させ、且つ第２センシングユニット１２に他方の手を接触させる。これにより、上述した各実施形態の場合と同様に、血圧値及び体脂肪率が測定され、その結果が携帯電話機の表示画面８に表示される。尚、本形態にあっても第２センシングユニット１２は図１０に示す２箇所の両方に配設してもよい。
【００６９】
（第９実施形態）
本形態は、指紋センサとＩｒＤＡの発光素子とを備えた携帯電話機１６に対し、このＩｒＤＡの発光素子を脈波センシング部の発光素子として利用し且つインピーダンスセンシング部と一体化したセンシングユニットを備えた携帯型健康管理装置を２つ折り型の携帯電話機１６に一体的に組み込んだ場合であって、携帯電話機１６を展開した（開いた）状態で血圧値と体脂肪率とを測定するようにしたものである。
【００７０】
図１１は、本形態に係る携帯電話機１６を展開した状態を示しており、ＩｒＤＡの発光素子とインピーダンスセンシング部とを一体化して成る第１センシングユニット１１が、人が携帯電話機を持ったときに自然に右手または左手の親指または人差指が来る位置に配置され、指紋センサの電極とインピーダンスセンシング部の電極と兼用した第２センシングユニット１２が、人が携帯電話機を持ったときに自然に残りの手の親指か人差指が来る位置に配置されている。
【００７１】
このため、血圧と体脂肪率を測定する場合には、携帯電話機１６を展開した状態で、第１センシングユニット１１に右手または左手を接触させ、且つ第２センシングユニット１２に他方の手を接触させる。これにより、上述した各実施形態の場合と同様に、血圧値及び体脂肪率が測定され、その結果が携帯電話機の表示画面８に表示される。
【００７２】
（第１０実施形態）
次に、第１０実施形態について説明する。本形態は、図１２に示すように、ＩｒＤＡの発光素子を脈波センシング部の発光素子として利用し且つインピーダンスセンシング部と一体化した第１センシングユニット１１と、第２センシングユニット１２とを内蔵した赤外線通信の可能な携帯電話機１６を使用するものである。そして、ＩｒＤＡ６１を内蔵し赤外線通信の可能な外部装置（パーソナルコンピュータ）６０との間で、ＩｒＤＡを利用した赤外線通信を行い、携帯電話機１６で測定した血圧値、体脂肪率を外部装置６０に送り、日々の健康管理を行い、さらに、外部装置６０から血圧値、体脂肪率を測定する上で必要な情報で身長、体重、年齢、性別、リファレンス血圧を携帯電話機１６に送る構成となっている。
【００７３】
（第１１実施形態）
本形態は、ＩｒＤＡの発光素子を備えた携帯電話機１６に対し、このＩｒＤＡの発光素子を脈波センシング部の発光素子として利用し且つインピーダンスセンシング部と一体化したセンシングユニットを備えた携帯型健康管理装置を２つ折り型の携帯電話機１６に一体的に組み込んだ場合であって、携帯電話機１６を展開した（開いた）状態で血圧値、体脂肪率、血糖値を測定するようにしたものである。
【００７４】
図１３は、本形態に係る携帯電話機１６を展開した状態を示しており、ＩｒＤＡの発光素子とインピーダンスセンシング部とを一体化して成る第１センシングユニット１１が、人が携帯電話機を持ったときに自然に右手または左手の親指または人差指が来る位置に配置され、血糖値センサとインピーダンスセンシング部の電極と兼用した第２センシングユニット１２が、人が携帯電話機を持ったときに自然に残りの手の親指か人差指が来る位置に配置されている。
【００７５】
このため、血圧、体脂肪率及び血糖値を測定する場合には、携帯電話機１６を展開した状態で、第１センシングユニット１１に右手または左手を接触させ、且つ第２センシングユニット１２に他方の手を接触させる。これにより、上述した各実施形態の場合と同様に、血圧値及び体脂肪率が測定される。また、それに加えて、血糖値も測定され、その結果が携帯電話機の表示画面８に表示される。更に、上記ＩｒＤＡの発光素子による赤外線通信によって、測定した血圧値、体脂肪率、血糖値を外部装置６０に送り、日々の健康管理を行い、さらに、外部装置６０から血圧値、体脂肪率を測定する上で必要な情報で身長、体重、年齢、性別、リファレンス血圧を携帯電話機１６に送ることもできる。
【００７６】
尚、本実施形態における血糖値センサとしては、周知の化学式血糖値センサであってもよいし光学式血糖値センサであってもよい。
【００７７】
また、本実施形態においては、測定した血糖値、血圧値、体脂肪率等の生体情報を、携帯電話機１６に内蔵されたインターネット等の通信機能を使い、医療機関等に送信し、医師が診断を行った後、インターネット等の通信機能を使い、診断結果を携帯電話機１６に返信するようにすることも可能である。更に、医療機関の診断予約を行うことも可能である。
【００７８】
更には、アプリケーションソフトウェア実行機能内蔵の携帯電話機において、測定した血糖値、血圧値、脈拍、体脂肪率等の生体情報を元にアプリケーションを実行することも可能である。例えば、血圧値、脈拍の変動によりゲームの進行を変えたり、テレビ電話時に相手との相性診断を血圧値、脈拍の変動から行うことができる。また、血圧値、脈拍に基づいてストレス度を診断する等のアプリケーションを実行することもできる。これらは、本実施形態に係る携帯電話機１６に限らず、上述した各実施形態に係る携帯電話機に対しても適用可能である。
【００７９】
（第１２実施形態）
次に、第１２実施形態について説明する。本形態は、アラーム機能を内蔵する携帯電話機１６（図１４）に、本発明に係る携帯型健康管理装置を組み込むものであり、生体情報を測定する時刻をアラーム機能に設定し、毎日、決められた時間に忘れることなく測定できるようにしている。
【００８０】
（第１３実施形態）
次に、第１３実施形態について説明する。本形態は、携帯情報端末機器としてのノート型のパーソナルコンピュータに携帯型健康管理装置を一体的に組み込んだものである。
【００８１】
図１５に示すように、パーソナルコンピュ−タ７０において、人がキーボードを打つときに自然に左手が来る位置に第１センシングユニット１１を配置し、人がキーボードを打つときに自然に右手が来る位置に第２センシングユニット１２を配置している。
【００８２】
このため、血圧と体脂肪率を測定する場合には、第１センシングユニット１１に左手の親指や人差指や掌等を接触させ、且つ第２センシングユニット１２に右手の親指や人差指や掌等を接触させる。これにより、上述した各実施形態の場合と同様に、血圧値及び体脂肪率が測定され、その結果がパーソナルコンピュ−タ７０の液晶表示パネル７１上に表示される。
【００８３】
（第１４実施形態）
次に、第１４実施形態について説明する。本形態は、携帯情報端末機器としてのパーソナルコンピュータに接続するマウスに携帯型健康管理装置を一体的に組み込んだものである。
【００８４】
図１６に示すように、マウス８０の上部付近に第２センシングユニット１２を配置し、マウス８０の側面に第１センシングユニット１１を配置している。
【００８５】
このため、血圧と体脂肪率を測定する場合には、第２センシングユニット１２に右手の掌や親指や人差指等を接触させ、且つ第１センシングユニット１１に左手の親指や人差指等を接触させる。これにより、上述した各実施形態の場合と同様に、血圧値及び体脂肪率が測定され、その結果がパーソナルコンピュ−タ７０の液晶表示パネル７２上に表示される。
【図面の簡単な説明】
【００８６】
【図１】血圧測定及び体脂肪測定を行うための基本システム構成を示す測定ブロック図である。
【図２】センシングユニットを示し、（ａ）は正面図、（ｂ）は側面図である。
【図３】第１実施形態における測定時の状態を示す図である。
【図４】第２実施形態に係る携帯電話機を展開した状態の正面側を示す図である。
【図５】第３実施形態に係る携帯電話機を展開した状態の背面側を示す図である。
【図６】第４実施形態に係る携帯電話機の正面側を示す図である。
【図７】第５実施形態に係る携帯電話機の背面側を示す図である。
【図８】第６実施形態における図３相当図である。
【図９】第７実施形態における図４相当図である。
【図１０】第８実施形態における図６相当図である。
【図１１】第９実施形態における図４相当図である。
【図１２】第１０実施形態における携帯電話機及び外部装置を示す図である。
【図１３】第１１実施形態における図４相当図である。
【図１４】第１２実施形態における図４相当図である。
【図１５】第１３実施形態に係るパーソナルコンピュータの斜視図である。
【図１６】第１４実施形態に係るマウスの斜視図である。
【符号の説明】
【００８７】
２          第１脈波センシング部
２Ａ        第１発光素子
２Ｂ        第１受光素子
３          第２脈波センシング部
３Ａ        第２発光素子
３Ｂ        第２受光素子
４          第１インピーダンスセンシング部
５          第２インピーダンスセンシング部
６          体脂肪率計測部（体脂肪率演算手段）
７          血圧値計測部（血圧測定手段）
８          表示部
１６，２６  携帯電話機
６０        外部装置
７０        パーソナルコンピュータ
８０        マウス
【図１】
2006026210.tif 000003
【図２】
2006026210.tif 000004
【図３】
2006026210.tif 000005
【図４】
2006026210.tif 000006
【図５】
2006026210.tif 000007
【図６】
2006026210.tif 000008
【図７】
2006026210.tif 000009
【図８】
2006026210.tif 000010
【図９】
2006026210.tif 000011
【図１０】
2006026210.tif 000012
【図１１】
2006026210.tif 000013
【図１２】
2006026210.tif 000014
【図１３】
2006026210.tif 000015
【図１４】
2006026210.tif 000016
【図１５】
2006026210.tif 000017
【図１６】
2006026210.tif 000018